【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
表示部、印刷部および撮像部を含む複数のハードウエア資源を有し、プリンタ、コピーまたはファクシミリの画像形成処理に係るユーザーサービスをそれぞれ提供する画像形成装置であって、
プリンタアプリケーション、コピーアプリケーション、及びファクシミリアプリケーションを少なくとも含む複数のアプリケーションと、
前記複数のアプリケーションそれぞれからの要求を受信するアプリケーションプログラムインターフェースを有し、該アプリケーションプログラムインターフェースを介して受信した要求に基づいて、前記ハードウエア資源の管理、実行制御、画像形成処理並びにジョブ生成を行うプラットホームと、を有し、
前記プラットホームは、
前記アプリケーションプログラムインターフェースを介して受信した要求に基づいたジョブ生成を行うアプリサービスと、
前記ハードウエア資源の管理、実行制御並びに画像形成処理を行う共通システムサービスであって、前記複数のアプリケーションそれぞれの画面を生成して前記表示部に表示させるオペレーションパネルコントロールサービスを少なくとも含む共通システムサービスと、
を備えたことを特徴とする画像形成装置。
【請求項２】
前記オペレーションパネルコントロールサービスは、前記複数のアプリケーションそれぞれの画面を仮想的に生成すること
を特徴とする請求項１に記載の画像形成装置。
【請求項３】
前記オペレーションパネルコントロールサービスは、仮想的に生成した前記それぞれの画面のうち一の画面を前記表示部に表示させること
を特徴とする請求項２に記載の画像形成装置。
【請求項４】
前記オペレーションパネルコントロールサービスは、仮想的に生成した前記それぞれの画面のうち複数の画面を合成して前記表示部に表示させること
を特徴とする請求項２に記載の画像形成装置。
【請求項５】
前記複数のアプリケーションは、アプリケーションごとに追加または削除することができることを特徴とする請求項１〜４のいずれか一つに記載の画像形成装置。
【請求項６】
表示部、印刷部および撮像部を含む複数のハードウエア資源を用いて、プリンタ、コピーまたはファクシミリの画像形成処理に係るユーザーサービスをそれぞれ提供する画像形成装置で実行される画像形成方法であって、
前記画像形成装置は、プリンタアプリケーション、コピーアプリケーション、及びファクシミリアプリケーションを少なくとも含む複数のアプリケーションを有し、
前記複数のアプリケーションそれぞれからの要求を受信するアプリケーションプログラムインターフェースを有するプラットホームによって、該アプリケーションプログラムインターフェースを介して受信した要求に基づいて、前記ハードウエア資源の管理、実行制御、画像形成処理並びにジョブ生成を行い、
前記プラットホームは、
アプリサービスによって、前記アプリケーションプログラムインターフェースを介して受信した要求に基づいたジョブ生成を行い、
前記複数のアプリケーションそれぞれの画面を生成して前記表示部に表示させるオペレーションパネルコントロールサービスを少なくとも含む共通システムサービスによって、前記ハードウエア資源の管理、実行制御並びに画像形成処理を行う
ことを特徴とする画像形成方法。
【請求項７】
表示部、印刷部および撮像部を含む複数のハードウエア資源を有し、プリンタ、コピーまたはファクシミリの画像形成処理に係るユーザーサービスをそれぞれ提供し、プリンタアプリケーション、コピーアプリケーション、及びファクシミリアプリケーションを少なくとも含む複数のアプリケーションを有するコンピュータに、
前記複数のアプリケーションそれぞれからの要求を受信するアプリケーションプログラムインターフェースを有するプラットホームによって、該アプリケーションプログラムインターフェースを介して受信した要求に基づいて、前記ハードウエア資源の管理、実行制御、画像形成処理並びにジョブ生成を行い、
前記プラットホームは、
アプリサービスによって、前記アプリケーションプログラムインターフェースを介して受信した要求に基づいたジョブ生成を行い、
前記複数のアプリケーションそれぞれの画面を生成して前記表示部に表示させるオペレーションパネルコントロールサービスを少なくとも含む共通システムサービスによって、前記ハードウエア資源の管理、実行制御並びに画像形成処理を行う
ことを実行させるためのプログラム。
【手続補正２】
【補正対象書類名】明細書
【補正対象項目名】００１２
【補正方法】変更
【補正の内容】
【００１２】
上述した課題を解決し、目的を達成するため、請求項１の発明に係る画像形成装置は、表示部、印刷部および撮像部を含む複数のハードウエア資源を有し、プリンタ、コピーまたはファクシミリの画像形成処理に係るユーザーサービスをそれぞれ提供する画像形成装置であって、プリンタアプリケーション、コピーアプリケーション、及びファクシミリアプリケーションを少なくとも含む複数のアプリケーションと、前記複数のアプリケーションそれぞれからの要求を受信するアプリケーションプログラムインターフェースを有し、該アプリケーションプログラムインターフェースを介して受信した要求に基づいて、前記ハードウエア資源の管理、実行制御、画像形成処理並びにジョブ生成を行うプラットホームと、を有し、前記プラットホームは、前記アプリケーションプログラムインターフェースを介して受信した要求に基づいたジョブ生成を行うアプリサービスと、前記ハードウエア資源の管理、実行制御並びに画像形成処理を行う共通システムサービスであって、前記複数のアプリケーションそれぞれの画面を生成して前記表示部に表示させるオペレーションパネルコントロールサービスを少なくとも含む共通システムサービスと、を備えたことを特徴とする。
【手続補正３】
【補正対象書類名】明細書
【補正対象項目名】００１３
【補正方法】変更
【補正の内容】
【００１３】
この請求項１の発明によれば、各ユーザーサービスのアプリケーションを作成する場合には、画面表示制御やキー操作部分を作成すれば足りる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】変更
【補正の内容】
【００３８】
請求項１の発明によれば、各ユーザーサービスのアプリケーションを作成する場合には、画面表示制御やキー操作部分を作成すれば足りる。
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４３
【補正方法】削除
【補正の内容】
【手続補正３４】
【補正対象書類名】明細書
【補正対象項目名】００４４
【補正方法】削除
【補正の内容】
【手続補正３５】
【補正対象書類名】明細書
【補正対象項目名】００４５
【補正方法】削除
【補正の内容】
【手続補正３６】
【補正対象書類名】明細書
【補正対象項目名】００４６
【補正方法】削除
【補正の内容】
【手続補正３７】
【補正対象書類名】明細書
【補正対象項目名】００４７
【補正方法】削除
【補正の内容】
【手続補正３８】
【補正対象書類名】明細書
【補正対象項目名】００４８
【補正方法】削除
【補正の内容】
【手続補正３９】
【補正対象書類名】明細書
【補正対象項目名】００４９
【補正方法】削除
【補正の内容】
【手続補正４０】
【補正対象書類名】明細書
【補正対象項目名】００５０
【補正方法】削除
【補正の内容】